(57)【特許請求の範囲】
【請求項１】
光ファイバを把持する光ファイバ把持部と、
該光ファイバ把持部が挿入可能な複数の挿入孔が形成され、前記光ファイバの端面形状を確認するための拡大レンズが設けられた本体部と、を備える光ファイバ端面検査装置であって、
前記複数の挿入孔のうちの１つは、前記光ファイバ把持部が挿入される方向が前記拡大レンズの軸方向に対して直交する方向に形成され、他の１つは、前記光ファイバ把持部が挿入される方向が前記拡大レンズの軸方向および該軸方向に直交する方向の両方に対して傾斜する方向に形成され、
前記光ファイバ把持部は、いずれの挿入孔から挿入されても所定の挿入深さで停止し、
前記光ファイバの端面は、前記光ファイバ把持部がいずれの挿入孔から挿入されても配される位置が一致し、この位置には、前記拡大レンズの焦点が合わされていることを特徴とする光ファイバ端面検査装置。
【請求項２】
前記光ファイバ把持部を前記挿入孔に挿入した状態で保持可能な保持部材が設けられていることを特徴とする請求項１に記載の光ファイバ端面検査装置。
【請求項３】
前記複数の挿入孔のうち、一の挿入孔の内周面の一部以上が、他の挿入孔の内周面の一部以上と重なっていることを特徴とする請求項１または２に記載の光ファイバ端面検査装置。
【請求項４】
前記本体部には、前記光ファイバの端面を照射する照明器具が設けられていることを特徴とする請求項１乃至３のいずれか１項に記載の光ファイバ端面検査装置。
【請求項５】
前記本体部に、前記光ファイバの端面を撮影するカメラを支持可能で、かつ、着脱可能なカメラ支持部材が設けられていることを特徴とする請求項１乃至４のいずれか１項に記載の光ファイバ端面検査装置。
【発明の詳細な説明】
【技術分野】
【０００１】
本発明は、光ファイバの端面を検査する光ファイバ端面検査装置に関する。
【背景技術】
【０００２】
光ファイバ同士を接続する場合、両方の光ファイバの先端部にそれぞれコネクタを取り付け、このコネクタ同士を接続させている。このとき、接続された光ファイバは、端面同士が物理的に当接している。
コネクタを取り付ける時に、光ファイバの切断不良により光ファイバの端面に欠けなどの損傷があると、光ファイバ同士がうまく接続されず、これが光ファイバの接続部の品質の低下や故障の原因となっている。このため、コネクタを取り付けるときには、光ファイバ端面検査装置を使用して、光ファイバの端面形状の状態を確認している。
例えば、特許文献１には、ＣＣＤカメラや、ＣＣＤカメラで撮像された画像を表示するモニタなどを備える光ファイバ端面検査装置が開示されている（例えば、特許文献１参照）。
【先行技術文献】
【特許文献】
【０００３】
【特許文献１】特許第３７９７４１９号公報
【発明の概要】
【発明が解決しようとする課題】
【０００４】
しかしながら、従来の光ファイバ端面検査装置は、ＣＣＤカメラやモニタなどを備える大掛かりなもののため、光ファイバにコネクタを大量に取り付ける工場などでは使用されているが、現場でコネクタを取り付ける場合に、このような光ファイバ端面検査装置を携帯して使用することは困難である。特に、屋外や高所でコネクタを取り付ける場合に、従来のような光ファイバ端面検査装置を携帯して使用することは困難である。
このため、現場でコネクタを取り付ける場合には、光ファイバの端面形状の状態を確認していないのが現状となっている。
【０００５】
また、従来の光ファイバ端面検査装置では、光ファイバの端面形状を正面や真横などの一方向から確認しているため、実際に確認している範囲の死角になっている箇所に欠けなどの損傷があると、この損傷を確認できないことがある。
【０００６】
本発明は、上述する事情に鑑みてなされたもので、現場で光ファイバにコネクタを取り付ける場合でも光ファイバの端面形状を容易に、かつ確実に確認することができる光ファイバ端面検査装置を提供することを目的とする。
【課題を解決するための手段】
【０００７】
上記目的を達成するため、本発明に係る光ファイバ端面検査装置は、光ファイバを把持する光ファイバ把持部と、該光ファイバ把持部が挿入可能な複数の挿入孔が形成され、前記光ファイバの端面形状を確認するための拡大レンズが設けられた本体部と、を備える光ファイバ端面検査装置であって、前記複数の挿入孔のうちの１つは、前記光ファイバ把持部が挿入される方向が前記拡大レンズの軸方向に対して直交する方向に形成され、他の１つは、前記光ファイバ把持部が挿入される方向が前記拡大レンズの軸方向および該軸方向に直交する方向の両方に対して傾斜する方向に形成され、前記光ファイバ把持部は、いずれの挿入孔から挿入されても所定の挿入深さで停止し、前記光ファイバの端面は、前記光ファイバ把持部がいずれの挿入孔から挿入されても配される位置が一致し、この位置には、前記拡大レンズの焦点が合わされていることを特徴とする。
【０００８】
本発明では、複数の挿入孔は拡大レンズに対して光ファイバ把持部が挿入される方向がそれぞれ異なるように形成されていることにより、光ファイバ把持部を挿入する挿入孔を変えることで、光ファイバの端面を異なる角度から確認することができ、１つの方向からでは死角となって見えない光ファイバの端面にできた欠けなどの損傷を、確実に確認することができる。
また、いずれの挿入孔から光ファイバ把持部を挿入しても光ファイバの端面が配される位置が一致し、この位置に前記拡大レンズの焦点が合わされていることにより、光ファイバ把持部を挿入孔に挿入する毎に拡大レンズの焦点を合わせる必要がないため、効率的に使用することができる。
【０００９】
また、ＣＣＤカメラやＣＣＤカメラで撮影された画像を表示するモニタなどを備える従来の光ファイバ端面検査装置と比べて、簡易な構造とすることができるため、現場にて光ファイバを接続する場合も、光ファイバ端面検査装置を携帯して使用することができて、光ファイバの端面の形状を容易に確認することができる。
【００１０】
また、本発明に係る光ファイバ端面検査装置では、前記光ファイバ把持部を前記挿入孔に挿入した状態で保持可能な保持部材が設けられていることが好ましい。
このように、光ファイバ把持部を挿入孔に挿入した状態で保持可能な保持部材が設けられていることにより、光ファイバ把持部が本体部から容易に脱落することがなく、高所や屋外などでも安心して使用することができる。
【００１１】
また、本発明に係る光ファイバ端面検査装置では、前記複数の挿入孔のうち、一の挿入孔の内周面の一部以上が、他の挿入孔の内周面の一部以上と重なっていてもよい。
このように、複数の挿入孔のうち、一の挿入孔の内周面の一部以上が、他の挿入孔の内周面の一部以上と重なっていることにより、複数の挿入孔を備える光ファイバ端面検査装置の構造を簡素化させることができるため、光ファイバ端面検査装置の製造コストを削減することができるとともに、製造効率を高めることができる。
【００１２】
また、本発明に係る光ファイバ端面検査装置では、本体部には、前記光ファイバの端面を照射する照明器具が設けられていることが好ましい。
このように、本体部には、光ファイバの端面を照射する照明器具が設けられていることにより、光ファイバの端面の形状を明確に確認することができる。
【００１３】
また、本発明に係る光ファイバ端面検査装置では、前記本体部に、前記光ファイバの端面を撮影するカメラを支持可能で、かつ、着脱可能なカメラ支持部材が設けられていることが好ましい。
このように、本体部に、光ファイバの端面を撮影するカメラを支持可能で、かつ、着脱可能なカメラ支持部材が設けられていることにより、カメラ支持部材を取り付けることで光ファイバの端面を撮影することができる。これにより、接続される光ファイバの状態を記録することができる。
【発明の効果】
【００１４】
本発明によれば、現場にて光ファイバを接続する場合も光ファイバの端面の状態を容易にかつ確実に確認することができるため、光ファイバ同士の接続部の品質が安定し、光ファイバ同士の接続部の故障を防ぐことができる。
【図面の簡単な説明】
【００１５】
【図１】（ａ）は本発明の第１実施形態による光ファイバ端面検査装置の一例を示す斜視図、（ｂ）は（ａ）のＡ方向矢視図である。
【図２】第１挿入孔形成部材および第２挿入孔形成部材を説明する図である。
【図３】カメラ支持部材を説明する図である。
【図４】（ａ）は第１挿入孔に挿入された光ファイバの端面を示す図、（ｂ）は第２挿入孔に挿入された光ファイバの端面を示す図である。
【図５】欠けが生じた光ファイバの端面を示す図である。
【図６】（ａ）は本発明の第２実施形態による光ファイバ端面検査装置の一例を示す斜視図、（ｂ）は第１挿入孔形成部材および第２挿入孔形成部材を説明する図である。
【発明を実施するための形態】
【００１６】
（第１実施形態）
以下、本発明の第１実施形態による光ファイバ端面検査装置について、図１乃至図５に基づいて説明する。
図１（ａ）に示すように、第１実施形態による光ファイバ端面検査装置１Ａは、光ファイバ１０の端面１０ａの形状を検査する装置で、光ファイバ１０の先端部１０ｂ近傍を把持する光ファイバ把持部２と、この光ファイバ把持部２が内部に設置され光ファイバ１０の端面１０ａを確認するための拡大レンズ４が設けられた本体部３と、を備えている。
【００１７】
光ファイバ把持部２は、略直方体形状に形成され光ファイバ１０が載置される光ファイバ把持部本体２１と、光ファイバ把持部本体２１とともに光ファイバ１０を挟む板状の蓋部２２と、を備えている。このとき、光ファイバ１０は、その先端部１０ｂが光ファイバ把持部２から所定の長さだけ突出している。
【００１８】
図１（ａ）、（ｂ）に示すように、本体部３は、外形が略直方体形状に形成された外殻部３１を備え、外殻部３１の内部３１ａには空間が形成されている。
拡大レンズ４は、外殻部３１の上部３１ｂ側に設けられていて、使用者は外殻部３１の外部から拡大レンズ４を介して内部３１ａを観察することができる。拡大レンズ４は、接眼レンズ４ａと対物レンズ４ｂとから構成されている。拡大レンズ４の中心軸上には、外殻部３１の内部３１ａの空間が形成されている。
ここで、拡大レンズ４の中心軸４ｃの延在方向を上下方向とし、本体部３の拡大レンズ４が設けられている側を上側として以下説明する。
【００１９】
本体部３には、外殻部３１の側部３１ｃから内部３１ａに向かって延びる２つの挿入孔３２，３３が形成されている。この挿入孔３２，３３には、それぞれ光ファイバ把持部２が挿入可能な形状に形成されている。挿入孔３２，３３に挿入される光ファイバ把持部２は、所定の挿入深さで停止するように構成されている。
ここで、２つの挿入孔３２，３３のうち、一方の挿入孔を第１挿入孔３２、他方の挿入孔を第２挿入孔３３として以下説明する。
【００２０】
本実施形態では、第１挿入孔３２が形成された第１挿入孔形成部材３４および第２挿入孔３３が形成された第２挿入孔形成部材３５が、外殻部３１にそれぞれ固定されていて、第１挿入孔３２および第２挿入孔３３は外殻部３１の内部３１ａと連通している。
なお、外殻部３１に第１挿入孔形成部材３４および第２挿入孔形成部材３５が固定した構成とせずに、外殻部３１と第１挿入孔形成部材３４および第２挿入孔形成部材３５とが一体に形成された構成としてもよい。
図２に示すように、第１挿入孔３２および第２挿入孔３３の内周面には、第１挿入孔３２および第２挿入孔３３に挿入された光ファイバ把持部２を対向する面側に付勢する付勢部材（保持部材）３６がそれぞれ設けられている。
【００２１】
本実施形態では、付勢部材３６は、第１挿入孔３２および第２挿入孔３３の内周面の下面３２ａ，３３ａにそれぞれ設けられていて、第１挿入孔３２および第２挿入孔３３に挿入された光ファイバ把持部２を上側に向かって付勢可能となっている。
このように、付勢部材３６が、第１挿入孔３２および第２挿入孔３３に挿入された光ファイバ把持部２を第１挿入孔３２および第２挿入孔３３の内周面の上面に向かって付勢するため、第１挿入孔３２および第２挿入孔３３から光ファイバ把持部２が容易に外れることを防止することができる。
【００２２】
第１挿入孔３２は、外殻部３１の側部３１ｃから内部３１ａに水平方向に延びている。
第１挿入孔３２に光ファイバ把持部２が挿入されると、光ファイバ把持部２に把持された光ファイバ１０が水平に延在している状態となっている。
また、第１挿入孔３２は、光ファイバ把持部２が挿入されたときに、光ファイバ把持部２に把持された光ファイバ１０の端面１０ａが拡大レンズ４の中心軸４ｃ上で拡大レンズ４の焦点とほぼ同じ位置に配されるように構成されている。
【００２３】
第２挿入孔３３は、水平面に対して傾斜し、外殻部３１の側部３１ｃから内部３１ａに向かうに従って下側から上側へ向かって延びている。
そして、第２挿入孔３３に光ファイバ把持部２が挿入されると、光ファイバ把持部２に把持された光ファイバ１０が、拡大レンズ４の中心軸４ｃに対して所定角度θ（図１（ｂ）参照）傾斜している。本実施形態では、θ＝７０°となっている。
なお、この所定角度θは、任意に設定されてよいが、６５°〜７５°とすることが好ましい。
また、第２挿入孔３３は、光ファイバ把持部２が挿入されたときに、光ファイバ把持部２に把持された光ファイバ１０の端面１０ａが拡大レンズ４の中心軸４ｃ上で拡大レンズ４の焦点とほぼ同じ位置に配されるように構成されている。
【００２４】
ここで、図１（ａ）、（ｂ）に示すように、第１挿入孔３２と第２挿入孔３３とは、拡大レンズ４が配された方向から（上側から）見て、延在方向が直交するように形成されている。本実施形態では、外殻部３１が平面視略長方形であるため、第１挿入孔３２および第２挿入孔３３は、外殻部３１の側部３１ｃの隣り合う面３１ｄ，３１ｅから内部３１ａに延びるように形成されている。
【００２５】
ここで、光ファイバ把持部２が第１挿入孔３２に挿入されたときの光ファイバ１０の端面１０ａの位置を位置Ａとし、光ファイバ把持部２が第２挿入孔３３に挿入されたときの光ファイバ１０の端面１０ａの位置を位置Ｂとすると、位置Ａと位置Ｂとは、ほぼ一致している。このため、光ファイバ把持部２は、第１挿入孔３２および第２挿入孔３３に同時に挿入することはできず、第１挿入孔３２および第２挿入孔３３のいずれか一方に挿入可能となっている。
また、第１挿入孔形成部材３４は第２挿入孔３３を遮ることがないように形成されていて、第２挿入孔形成部材３５も第１挿入孔３２を遮ることがないように形成されている。
【００２６】
また、本体部３の内部３１ａには、光ファイバ１０の端面１０ａを照射する、例えば、ＬＥＤなどの照明器具３７が設けられている。本実施形態では、照明器具３７は、拡大レンズ４の中心軸４ｃ線上で、第１挿入孔３２および第２挿入孔３３の下側に設置され、光ファイバ１０の端面１０ａを下側から照射可能となっている。
このとき、第１挿入孔形成部材３４および第２挿入孔形成部材３５は、照明光を遮らないように形成されている。例えば、照明器具３７から照射される照明光の軌道上（拡大レンズ４の中心軸４ｃ線上）に、第１挿入孔形成部材３４および第２挿入孔形成部材３５が配される場合は、第１挿入孔形成部材３４および第２挿入孔形成部材３５に孔部を形成して照明光を遮らないように構成されている。
外殻部３１の外側には、照明器具３７のスイッチ（不図示）が設けられている。
【００２７】
また、図３に示すように、本体部３には、カメラ４１を支持可能であるとともに、本体部３に着脱可能なカメラ支持部材４２が設けられている。なお、本実施形態では、カメラ４１は、カメラ機能を備える携帯電話としている。
【００２８】
カメラ支持部材４２は、拡大レンズ４の中心軸４ｃ線上に位置する孔部４３が形成され上部にカメラ４１が載置されるカメラ載置部４４と、本体部３に取り付けられて本体部３に対するカメラ載置部４４の高さを所定の高さに支持する支持部４５と、カメラ４１をカメラ載置部４４から外れないように押さえる押さえ部４６と、を備えている。
カメラ載置部４４に形成されている孔部４３は、カメラ４１のレンズ４１ａの位置と合わされている。
【００２９】
また、支持部４５の高さ寸法が、第１挿入孔３２または第２挿入孔３３に光ファイバ把持部２が挿入されたときに、カメラ４１が光ファイバ１０の端面１０ａを鮮明に撮影できる高さとなるように設定されている。
そして、本体部３にカメラ支持部材４２を取り付けて、カメラ載置部４４にカメラ４１を設置し、押さえ部４６でカメラ４１を押さえることで、カメラ４１で光ファイバ１０の端面１０ａを撮影することができる。
【００３０】
次に、光ファイバ１０の端面１０ａの検査方法について説明する。
ここで、光ファイバ１０の端面１０ａの検査は、コネクタ（不図示）の取り付け時に行うため、コネクタの取り付け方法とともに説明する。
まず、光ファイバ１０を覆うケーブルシースを除去し、光ファイバ１０の先端部１０ｂ近傍に光ファイバ把持部２を取り付ける。このとき、光ファイバ１０の先端部１０ｂを、光ファイバ把持部２から突出させる。そして、光ファイバ把持部２から突出する光ファイバ１０の被覆を除去し、ファイバ心線を露出させる。
続いて、ファイバ心線の先端部側を切断し、光ファイバ把持部２から突出する光ファイバ１０の長さを所定の長さにする。
【００３１】
続いて、光ファイバ把持部２を第１挿入孔３２へ挿入し、照明器具３７のスイッチを入れて光ファイバ１０を照射する。
この状態で拡大レンズ４から本体部３の内部３１ａをのぞき込み、光ファイバ１０の端面１０ａの形状を目視して、光ファイバ１０の端面１０ａに損傷等の不具合がないかを確認する。
【００３２】
そして、光ファイバ１０の端面１０ａに損傷等がなければ、光ファイバ把持部２を第１挿入孔３２から取り出して、第２挿入孔３３へ挿入する。
この状態で再度、拡大レンズ４から本体部３の内部３１ａをのぞき込み、光ファイバ１０の端面１０ａの形状を目視して、光ファイバ１０の端面１０ａに損傷等の不具合がないかを確認する。
【００３３】
このとき、光ファイバ１０の端面１０ａの形状を２方向から確認することができるため、１つの方向からでは死角となって見えない光ファイバ１０の端面１０ａにできた欠けなどの損傷を、確実に確認することができる。
【００３４】
続いて、光ファイバ１０をホルダ１１から取り外し、該光ファイバ１０にコネクタを装着する。
このようにしてコネクタが光ファイバ１０の先端部１０ｂに取り付けられる。
なお、光ファイバ１０の端面１０ａの形状を確認した際に、光ファイバ１０の端面１０ａに損傷等がある場合は、再度、光ファイバ１０の先端部１０ｂの切断を行い、光ファイバ１０の端面１０ａの形状を確認する。
【００３５】
ここで、第１挿入孔３２（図１参照）に挿入されて確認された光ファイバ１０の端面１０ａを図４（ａ）に示し、第２挿入孔３３（図１参照）に挿入されて確認された光ファイバ１０の端面１０ａを図４（ｂ）に示す。図４（ａ）の光ファイバ１０と、図４（ｂ）の光ファイバ１０とは、同一である。
【００３６】
図４（ａ）、（ｂ）からわかるように、第１挿入孔３２に挿入して観察したときには確認できなかった光ファイバ１０の端面１０ａの欠けが、第２挿入孔３３に挿入して観察したときには確認できたことがわかる。
特に、図５に示すような光ファイバ１０の端面１０ａに生じた欠けは、観察する方向によっては、死角となって確認できないことがあるため、２方向から観察することで、光ファイバ１０の端面１０ａ形状を確実に確認することができる。
【００３７】
次に、上述した光ファイバ端面検査装置１Ａの効果について図面を用いて説明する。
第１実施形態による光ファイバ端面検査装置１Ａによれば、従来のようなＣＣＤカメラやモニタなどを備える大掛かりな光ファイバ端面検査装置と比べて構造を簡素化させることができるため、現場にて光ファイバ１０を接続する場合においても携帯して使用することができる。
【００３８】
また、光ファイバ１０の端面１０ａの形状を２方向から確認することができるため、１つの方向からでは死角となって見えない光ファイバ１０の端面１０ａにできた欠けなどの損傷を、確実に確認することができる。
また、光ファイバ把持部２がそれぞれ挿入されたときの光ファイバ１０の端面１０ａが配される位置が一致していて、この位置に拡大レンズ４の焦点が合わされていることにより、光ファイバ把持部２を各挿入孔３２，３３に挿入する毎に、拡大レンズ４の焦点を合わせる必要がないため、効率的に使用することができる。
【００３９】
そして、光ファイバ１０の端面１０ａの形状を容易にかつ確実に確認することができるため、光ファイバ１０同士の接続部の品質を向上させることができるとともに、光ファイバ１０の接続不良を防止することができる。
これにより、光ファイバ１０の接続部のコネクタを取り付けなおしたり、接続をやり直したりすることが少なくなるとともに、光ファイバ１０の接続不良による修理が少なくなるため、光ファイバ１０の接続や修理にかかる労力を軽減させることができる。
【００４０】
（第２実施形態）
次に、第２実施形態について、図６に基づいて説明するが、上述の第１実施形態と同一又は同様な部材、部分には同一の符号を用いて説明を省略し、第１実施形態と異なる構成について説明する。
図６に示すように、第２実施形態による光ファイバ端面検査装置１Ｂでは、第１挿入孔形成部材５１と第２挿入孔形成部材５２とが、平面視において（拡大レンズ４の方向から見て）、直交するように配設されている。このとき、第１挿入孔３２と第２挿入孔３３とが平面視において直交している。
【００４１】
第１挿入孔形成部材５１は、光ファイバ把持部２が挿入されたときに光ファイバ１０の端面１０ａが配される位置Ａから第１挿入孔形成部材５１の光ファイバ１０の延在方向の端面５１ａまでの長さＬ１と、第１挿入孔形成部材５１の光ファイバ１０の延在方向に直交する方向の端面５１ｂまでの長さＬ２と、が同じとなるように形成されている。
また、第２挿入孔形成部材５２は、光ファイバ把持部２が挿入されたときに光ファイバ１０の端面１０ａが配される位置Ｂから第２挿入孔形成部材５２の光ファイバ１０の延在方向の端面５２ａまでの長さＬ３と、第２挿入孔形成部材５２の光ファイバ１０の延在方向に直交する方向の端面５２ｂまでの長さＬ４とが同じとなるように形成されている。
そして、これらの長さＬ１〜Ｌ４は全て同じ長さに形成されている。
【００４２】
このように、長さＬ１〜Ｌ４が全て同じ長さに形成されていることにより、第１挿入孔形成部材５１の端面５１ａと、第２挿入孔形成部材５２の端面５２ｂとは、同一平面状に配されて、互いの一部が重なっている（図６（ａ）参照）。そして、外殻部３１における、第１挿入孔形成部材５１の端面５１ａ、第２挿入孔形成部材５２の端面５２ｂを支持する面（部材）が複雑な形状とならずに、簡易な形状となる。
このため、第２実施形態によれば、光ファイバ端面検査装置１Ｂの構造が簡素化し、光ファイバ端面検査装置１Ａの製造コストを削減することができるとともに、製造効率を高めることができる。
【００４３】
なお、第１挿入孔形成部材５１および第２挿入孔形成部材５２が外殻部３１と一体に形成されている場合は、光ファイバ把持部２が第１挿入孔３２に挿入されたときに、光ファイバ１０の端面１０ａが配される位置Ａから第１挿入孔３２の光ファイバ１０の延在方向の端面までの長さと、第１挿入孔３２の光ファイバ１０の延在方向に直交する方向の端面までの長さとが同じとなるように形成されていて、光ファイバ把持部２が第２挿入孔３３に挿入されたときに、光ファイバ１０の端面１０ａが配される位置Ｂから第２挿入孔３３の光ファイバ１０の延在方向の端面までの長さと、第１挿入孔３２の光ファイバ１０の延在方向に直交する方向の端面までの長さとが同じとなるように形成されていてもよい。
【００４４】
以上、本発明による光ファイバ端面検査装置１Ａ，１Ｂの実施形態について説明したが、本発明は上記の実施形態に限定されるものではなく、その趣旨を逸脱しない範囲で適宜変更可能である。
例えば、上述した実施形態では、本体部３に２つの挿入孔３２，３３が形成されているが、３つ以上の挿入孔が形成されていてもよい。
また、上記の実施形態では、照明器具３７が設けられているが、自然光で光ファイバ１０の端面１０ａの形状を確認できる場合は、照明を設けなくてもよい。
【符号の説明】
【００４５】
１Ａ，１Ｂ  光ファイバ端面検査装置
２  光ファイバ把持部
３  本体部
４  拡大レンズ
１０  光ファイバ
１０ａ  端面
３２  第１挿入孔
３３  第２挿入孔
３４，５１  第１挿入孔形成部材
３５，５２  第２挿入孔形成部材
３６  付勢部材（保持部材）
３７  照明器具
４１  カメラ
４２  カメラ支持部材  
【図１】
0005565580.tif 000002
【図２】
0005565580.tif 000003
【図３】
0005565580.tif 000004
【図６】
0005565580.tif 000005
【図４】
0005565580.tif 000006
【図５】
0005565580.tif 000007